(57)【要約】【課題】モザイク画像が未完成のままとなることを防止する。【解決手段】印画物作製装置は、被撮影者を撮影し、撮影画像を生成する撮影部と、モチーフ画像を分割した複数のブロックのうちの１つを選択する管理部と、前記管理部により選択されたブロックの画像を用いて前記撮影画像の画像処理を行い、モザイク画像の一部となる加工画像を生成する画像処理部と、前記加工画像をプリント出力するプリンタと、前記加工画像を格納する記憶部と、を備える。印画物作製装置は、前記加工画像の再プリント指示を受け付けると、前記記憶部に格納された前記加工画像を用いて、前記加工画像をプリント出力する。【選択図】図１
2020184273.tif 000002
【特許請求の範囲】
【請求項１】
被撮影者を撮影し、撮影画像を生成する撮影部と、
モチーフ画像を分割した複数のブロックのうちの１つを選択する管理部と、
前記管理部により選択されたブロックの画像を用いて前記撮影画像の画像処理を行い、モザイク画像の一部となる加工画像を生成する画像処理部と、
前記加工画像をプリント出力するプリンタと、
前記加工画像を格納する記憶部と、
を備え、
前記加工画像の再プリント指示を受け付けると、前記記憶部に格納された前記加工画像を用いて、前記加工画像をプリント出力することを特徴とする印画物作製装置。
【請求項２】
前記管理部が、選択済みブロックと未選択ブロックとを示す管理画面を作成してタッチパネルに表示させ、
前記管理画面の選択済みブロックが押されると、このブロックに対応する加工画像をプリント出力することを特徴とする請求項１に記載の印画物作製装置。
【請求項３】
前記管理画面の未選択ブロックが押されると、前記画像処理部が、このブロックの画像を用いて所定のモデル画像の画像処理を行い、加工画像を生成し、
前記プリンタが、生成された加工画像をプリント出力することを特徴とする請求項２に記載の印画物作製装置。
【請求項４】
前記プリンタは、シール紙に前記加工画像をプリントし、
前記シール紙には、矩形状のハーフカットが形成されており、この矩形の一辺は外側に湾曲し、対向する一辺は内側に湾曲していることを特徴とする請求項１乃至３のいずれか１項に記載の印画物作製装置。
【請求項５】
請求項１乃至４のいずれか１項に記載の印画物作製装置と、サーバ装置とを備え、
前記印画物作製装置は、前記撮影画像にテンプレート画像を合成して合成画像を生成し、前記合成画像を前記サーバ装置へ送信し、
前記サーバ装置は、前記合成画像をユーザ端末へ送信することを特徴とする印画物作製システム。
【発明の詳細な説明】
【技術分野】
【０００１】
本発明は、印画物作製装置及び印画物作製システムに関する。
【背景技術】
【０００２】
複数の小さな画像（写真等の素材画像）をマトリクス状に並べて１つの大きな人物や風景等のモザイク画像を生成するフォトモザイクが知られている。
【０００３】
例えば、モザイク画像の元となるモチーフ画像を複数のブロックに分割し、各ブロックの色調に近い素材画像を、対応するブロック位置に並べることでモザイク画像を生成することができる。また、各ブロックの色調に合わせて画像を色補正し、色補正後の素材画像を並べて、モザイク画像を生成する手法も知られている。
【０００４】
イベントの来場者を撮影した画像を素材画像としてモザイク画像を作成することが行われている。例えば、イベントスタッフが来場者を撮影し、色補正した撮影画像をプリント出力し、来場者に渡す。プリント物には番号が印字されており、来場者は、掲示ボードの同じ番号の位置にプリント物を貼り付ける。来場者は、徐々に完成していくモザイク画像を楽しむことができる。
【０００５】
しかし、来場者がプリント物を貼り忘れたり、紛失したりすると、モザイク画像が完成しないという問題があった。
【先行技術文献】
【特許文献】
【０００６】
【特許文献１】特開２０１６−５２０３６号公報
【特許文献２】特許第４１４６５０６号公報
【発明の概要】
【発明が解決しようとする課題】
【０００７】
本発明は、上記従来の実状に鑑みてなされたものであり、モザイク画像が未完成のままとなることを防止できる印画物作製装置及び印画物作製システムを提供することを課題とする。
【課題を解決するための手段】
【０００８】
本発明の印画物生成装置は、被撮影者を撮影し、撮影画像を生成する撮影部と、モチーフ画像を分割した複数のブロックのうちの１つを選択する管理部と、前記管理部により選択されたブロックの画像を用いて前記撮影画像の画像処理を行い、モザイク画像の一部となる加工画像を生成する画像処理部と、前記加工画像をプリント出力するプリンタと、前記加工画像を格納する記憶部と、を備え、前記加工画像の再プリント指示を受け付けると、前記記憶部に格納された前記加工画像を用いて、前記加工画像をプリント出力するものである。
【０００９】
本発明の一態様において、前記管理部が、選択済みブロックと未選択ブロックとを示す管理画面を作成してタッチパネルに表示させ、前記管理画面の選択済みブロックが押されると、このブロックに対応する加工画像をプリント出力する。
【００１０】
本発明の一態様において、前記管理画面の未選択ブロックが押されると、前記画像処理部が、このブロックの画像を用いて所定のモデル画像の画像処理を行い、加工画像を生成し、前記プリンタが、生成された加工画像をプリント出力する。
【００１１】
本発明の一態様において、前記プリンタは、シール紙に前記加工画像をプリントし、前記シール紙には、矩形状のハーフカットが形成されており、この矩形の一辺は外側に湾曲し、対向する一辺は内側に湾曲している。
【００１２】
本発明の印画物作製システムは、本発明の印画物作製装置と、サーバ装置とを備え、前記印画物作製装置は、前記撮影画像にテンプレート画像を合成して合成画像を生成し、前記合成画像を前記サーバ装置へ送信し、前記サーバ装置は、前記合成画像をユーザ端末へ送信するものである。
【発明の効果】
【００１３】
本発明によれば、モザイク画像が未完成のままとなることを防止できる。
【図面の簡単な説明】
【００１４】
【図１】本発明の実施形態に係る印画物作製システムの概略構成図である。
【図２】（ａ）はプリント物の例を示す図であり、（ｂ）は掲示ボードにプリント物を貼る様子を示す図である。
【図３】モザイク画像の例を示す図である。
【図４】管理画面の例を示す図である。
【図５】モデル画像選択画面の例を示す図である。
【図６】印画物作製装置のハードウェア構成図である。
【図７】印画物作製装置の機能ブロック図である。
【図８】印画物作製方法を説明するフローチャートである。
【図９】印画物作製方法を説明するフローチャートである。
【図１０】（ａ）はプリント物の例を示す図であり、（ｂ）はプリント物の貼り付け例を示す図である。
【発明を実施するための形態】
【００１５】
以下、本発明の実施の形態を図面に基づいて説明する。
【００１６】
図１は、本発明の実施形態に係る印画物作製システムの概略構成図である。印画物作製システムは、印画物作製装置１とサーバ装置２とを備える。印画物作製装置１とサーバ装置２とはインターネット等のネットワークを介して通信可能に接続されている。
【００１７】
印画物作製装置１は、筐体Ｈと、筐体Ｈを支持する脚部Ｌとを備える。筐体Ｈ内には、演算制御装置１０（図６参照）、撮影装置１１（撮影部）、タッチパネル１２、プリンタ１３（図６参照）等が設けられている。
【００１８】
印画物作製装置１は、例えばイベント会場に設けられ、ユーザ（イベント来場者）Ｐを撮影し、撮影画像を色補正したものを素材画像として、モザイク画像を生成する。例えば、印画物作製装置１は、モチーフ画像（元絵）を複数の小さなブロックに分割し、いずれかのブロック画像を選択し、選択したブロック画像に合わせて撮影画像を色補正し、色補正後の加工画像（素材画像）を用紙にプリントし、プリント物３を出力する。
【００１９】
図２（ａ）に示すように、プリント物３には、対応ブロックの位置を示す番号が印字されている。イベント会場には、図２（ｂ）に示すような、プリント物３を貼付するための掲示ボードＢが設置されている。掲示ボードＢには、モチーフ画像のブロック分割に合わせた枠が設けてあり、枠内には番号が表示されている。ユーザＰは、プリント物３を、掲示ボードＢの対応する番号の枠に合わせて貼り付ける。
【００２０】
イベント来場者の撮影及びプリント物３の貼付を繰り返すことで、図３に示すように、モザイク画像ＭＧが完成する。
【００２１】
ユーザＰは、撮影後、タッチパネル１２を操作し、自身のメールアドレスを入力することができる。印画物作製装置１は、撮影画像と、イベントに関連したテンプレート画像とを合成した合成画像を、メールアドレスと共にサーバ装置２へ送信する。サーバ装置２は、メールアドレスを用いて、合成画像をメールに添付して送信する。ユーザＰは、スマートフォンやＰＣ等のユーザ端末を用いてメールを受信することで、イベント来場の記念となる画像を入手することができる。
【００２２】
イベント会場のスタッフは、印画物作製装置１を操作し、図４に示すような管理画面をタッチパネル１２に表示させることができる。管理画面では、プリント済みの加工画像が対応するブロック位置に配置されて表示されている。また、未プリントのブロックが、例えばグレーで表示される。管理画面では、選択済みのブロックと、未選択のブロックとが容易に判別できるように、分類して表示される。これにより、モザイク画像の進捗状況を容易に把握できる。管理画面には、残り撮影枚数（未プリントのブロック数）が表示されていてもよい。
【００２３】
スタッフは、管理画面の進捗状況と、掲示ボードＢに実際に貼付されているプリント物とを比較し、ユーザＰがプリント物を貼り忘れている箇所がないか確認する。プリント物の貼り忘れ箇所がある場合、スタッフは、管理画面上の対応するブロック４０を押して、リプリントするブロックを選択（指定）する。ブロック４０を選択すると、リプリント（再プリント）ブロック番号表示欄４１にブロック番号が表示される。リプリントブロック番号表示欄４１に、ブロック番号を直接入力して、ブロックを指定してもよい。
【００２４】
スタッフが実行ボタン４２を押して再プリントを指示すると、印画物作製装置１は、選択されたブロック４０の加工画像を用紙にプリントし、プリント物を出力する。スタッフは、出力されたプリント物を掲示ボードＢに貼る。これにより、ユーザＰがプリント物を貼り忘れた箇所を埋めることができる。
【００２５】
モザイク画像ＭＧは、撮影枚数が足りないと（所定枚数に達しないと）完成しない。そのため、印画物作製装置１は、未プリントブロックについて、事前に準備したモデル画像を使用して、プリント物を作製することができる。
【００２６】
例えば、スタッフが管理画面上の未プリントブロックを選択すると、図５に示すようなモデル画像選択画面が表示される。スタッフが、モデル画像を選択して実行ボタン５１を押すと、印画物作製装置１は、選択されたモデル画像をブロック画像に合わせて色補正し、色補正後の加工画像を用紙にプリントし、プリント物を出力する。スタッフは、出力されたプリント物を掲示ボードＢに貼る。これにより、撮影枚数が少ない場合でもモザイク画像ＭＧを完成させることができる。
【００２７】
このように、本実施形態によれば、ユーザがプリント物を貼り忘れた場合や、ユーザ撮影枚数が少ない場合でも、モザイク画像を完成させることができる。
【００２８】
図６は、印画物作製装置１のハードウェア構成図である。印画物作製装置１は、演算制御装置１０、撮影装置１１、タッチパネル１２及びプリンタ１３を備える。
【００２９】
撮影装置１１は、例えばデジタルカメラであり、撮影画像データを演算制御装置１０へ出力する。
【００３０】
タッチパネル１２は、操作ボタンを表示し、操作ボタンが押されると、その操作ボタンに対応した操作指示を受け付ける。また、タッチパネル１２は、撮影画像のプレビューを表示する。タッチパネル１２の代わりに、タッチ機能の無いディスプレイ、及びキーボードやマウス等の入力手段を設けてもよい。
【００３１】
プリンタ１３のプリント方式は特に限定されず、インクジェット方式、昇華型熱転写方式、溶融型熱転写方式等を用いることができる。
【００３２】
演算制御装置１０は、印画物作製装置１の各部の制御やデータの受け渡しを行うコンピュータである。図７に示すように、演算制御装置１０のＣＰＵが記憶部１００に記憶されているモザイク画像生成プログラムを実行することで、管理部１０１、分割部１０２、画像受信部１０３、画像処理部１０４、アドレス情報取得部１０５、プリント制御部１０６、表示制御部１０７、及び画像送信部１０８が実現され、演算制御装置１０はモザイク画像生成装置として動作する。
【００３３】
記憶部１００は、ハードディスクや半導体メモリであり、モザイク画像の元絵となるモチーフ画像や、モデル画像が事前に格納されている。また、記憶部１００には、イベントに関連したテンプレート画像データが格納されている。
【００３４】
管理部１０１は、モチーフ画像の分割数Ｎ及び分割方法の設定を受け付け、モザイク画像作成の進捗状況を管理する。
【００３５】
分割部１０２は、設定された分割数Ｎ及び分割方法に基づいてモチーフ画像を分割し、Ｎ個のブロック画像を生成する。ブロック画像は記憶部１００に格納される。
【００３６】
画像受信部１０３、画像処理部１０４、アドレス情報取得部１０５、プリント制御部１０６、表示制御部１０７、及び画像送信部１０８の処理は後述する。
【００３７】
次に、モザイク画像を構成するプリント物の作製方法を図８に示すフローチャートに沿って説明する。
【００３８】
撮影装置１１が、ユーザＰを撮影する（ステップＳ１）。ユーザＰの背中側には、クロマキー合成に適した色、例えば青色や黄緑色の壁紙が設けられていることが好ましい。撮影装置１１は、撮影画像を演算制御装置１０へ出力する。画像受信部１０３が、撮影画像を受信し、記憶部１００に格納する。
【００３９】
管理部１０１が、進捗状況に基づいて、複数のブロックのうち、プリント物を作製していない未プリントブロックをランダムに１つ選択する（ステップＳ２）。
【００４０】
画像処理部１０４が画像処理を行い、撮影画像に対し、選択されたブロックに合わせた色補正を行い、加工画像を生成する（ステップＳ３）。加工画像は、ブロック番号を含む。
【００４１】
例えば、画像処理部１０４は、クロマキー処理を行い、撮影画像から人物画像を切り抜き、人物画像をブロック画像上に重ね合わせて、加工画像を生成する。あるいはまた、画像処理部１０４は、撮影画像をグレー画像に変換し、乗算やオーバーレイによりグレー画像とブロック画像とを合成して、加工画像を生成する。
【００４２】
また、画像処理部１０４は、人物画像とテンプレート画像とを合成して、イベントの記念となる合成画像を生成する。
【００４３】
印画物作製装置１が、タッチパネル１２にメールアドレス入力画面を表示する。ユーザＰは、メールアドレス入力画面を操作してメールアドレスを入力する（ステップＳ４）。アドレス情報取得部１０５は、タッチパネル１２を介してメールアドレス情報を取得し、記憶部１００に格納する。
【００４４】
画像送信部１０８が、画像処理部１０４が生成した合成画像と、ステップＳ４で入力されたメールアドレス情報とをサーバ装置２へ送信する。
【００４５】
プリント制御部１０６が、ステップＳ３で生成された加工画像をプリンタ１３へ転送し、プリンタ１３を制御し、加工画像を用紙にプリントして、プリント物を出力させる（ステップＳ５）。プリント物の出力後、管理部１０１は、ステップＳ２で選択したブロックをプリント済みとして、進捗状況を更新する。
【００４６】
ユーザＰが、プリント物を掲示ボードＢに貼り付ける（ステップＳ６）。
【００４７】
次に、掲示ボードＢのプリント物未貼付箇所のプリント物を作製する方法を、図９に示すフローチャートに沿って説明する。
【００４８】
スタッフが印画物作製装置１を操作し、管理画面を呼び出す。管理部１０１は、更新状況、及び加工画像を用いて、図４に示すような管理画面を生成し、タッチパネル１２に表示させる（ステップＳ１１）。
【００４９】
スタッフは、管理画面の進捗状況と、掲示ボードＢに実際に貼付されているプリント物とを比較し、プリント物の貼り忘れ箇所がある場合、管理画面上の対応するブロックを押して選択する（ステップＳ１２＿Ｙｅｓ、Ｓ１３）。
【００５０】
スタッフが実行ボタン４２を押すと、プリント制御部１０６は、選択されたブロックの加工画像を記憶部１００から取り出してプリンタ１３へ転送し、プリンタ１３を制御し、加工画像を用紙にプリントして、プリント物を出力させる（ステップＳ１４）。
【００５１】
まだ撮影を行っていないブロックのプリント物を作製する場合は、スタッフが管理画面上の未プリントブロックを選択する（ステップＳ１２＿Ｎｏ、Ｓ１５）。
【００５２】
管理部１０１は、図５に示すようなモデル画像選択画面を生成し、タッチパネル１２に表示させる。スタッフが、モデル画像を選択し、実行ボタン５１を押す（ステップＳ１６）。
【００５３】
画像処理部１０４が画像処理を行い、モデル画像に対し、選択された未プリントブロックに合わせた色補正を行い、加工画像を生成する（ステップＳ１７）。
【００５４】
プリント制御部１０６が、生成された加工画像をプリンタ１３へ転送し、プリンタ１３を制御し、加工画像を用紙にプリントして、プリント物を出力させる（ステップＳ１８）。
【００５５】
スタッフが、プリント物を掲示ボードＢに貼り付ける（ステップＳ１９）。
【００５６】
このように、本実施形態によれば、管理画面と掲示ボードＢとを比較し、ユーザが貼り忘れたプリント物を速やかに再プリントすることができる。また、プリント物を作製していないブロックを管理画面上で確認し、モデル画像を利用してプリント物を作製できる。そのため、モザイク画像が未完成のままになることを防止できる。
【００５７】
上記実施形態において、ユーザＰに対し、メールアドレスの入力と共にアンケートへの回答を要求してもよい。印画物作製装置１は、アンケート回答結果もサーバ装置２へ送信する。
【００５８】
上記実施形態では、入力されたメールアドレスを用いて、合成画像をメールに添付して送信する例について説明したが、合成画像データをダウンロードするウェブサイトのＵＲＬ（及びＵＲＬを示す二次元コード）を印字したカードを印画物作製装置１からプリント出力してもよい。
【００５９】
印画物作製装置１は、掲示ボードＢに貼るプリント物だけでなく、合成画像を用紙にプリントした持ち帰り用のプリント物を出力してもよい。
【００６０】
印画物作製装置１のプリンタ１３が加工画像をプリントする用紙はシール紙でもよい。また、図１０（ａ）に示すように、シール紙３Ａに、一辺が凸となるように外側に湾曲し、対向する辺が凹となるように内側に湾曲した略矩形状のハーフカットＨＣを形成してもよい。
【００６１】
このような湾曲形状を持たせることで、シール紙３Ａの台紙から剥がしたシール部を掲示ボードＢに貼る際に、図１０（ｂ）に示すように、左右のシール部の位置ずれを防止し、きれいに並べて貼ることができる。
【００６２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６３】
１  印画物作製装置
２  サーバ装置
３  プリント物
１０  演算制御装置
１１  撮影装置
１２  タッチパネル
１３  プリンタ
１００  記憶部
１０１  管理部
１０２  分割部
１０３  画像受信部
１０４  画像処理部
１０５  アドレス情報取得部
１０６  プリント制御部
１０７  表示制御部
１０８  画像送信部
【図１】
2020184273.tif 000003
【図２】
2020184273.tif 000004
【図３】
2020184273.tif 000005
【図４】
2020184273.tif 000006
【図５】
2020184273.tif 000007
【図６】
2020184273.tif 000008
【図７】
2020184273.tif 000009
【図８】
2020184273.tif 000010
【図９】
2020184273.tif 000011
【図１０】
2020184273.tif 000012